(57)【要約】【課題】ＡＴＭの大幅な変更を行なうことなく、更に、新券以外の紙幣の収納枚数に制限を受けることなく、新券を出金すること。【解決手段】通帳記帳部１４の通帳収納部の設置スペースに紙幣Ｐを収納した紙幣収納部を設置し、出金時に顧客の操作指示によって、前記通帳収納部３１〜３３に収納してある新券Ｐを前記通帳挿入排出口２１から排出するよう制御する制御部８を有する。また、通帳記帳部４４の磁気記録書込部２２を利用して、紙幣認識を行なう。更に、封筒Ｅに新券Ｐを封入することにより、年月日を印字し、磁気ストライプを貼付して磁気情報を読取り、印字部２５や磁気読取書込部を共用する。【選択図】    図1
2010182213.tif 000002
【特許請求の範囲】
【請求項１】
現金の入出金取引を行ない、かつ通帳収納部に収納した通帳を搬送して通帳挿入排出口へ排出する通帳記帳部を有する現金自動取引装置において、
前記通帳収納部の設置スペースに紙幣を収納した紙幣収納部を設置し、
出金時に顧客の操作指示によって、前記紙幣収納部に収納してある紙幣を前記通帳挿入排出口から排出するよう制御する制御部を有することを特徴とする現金自動取引装置。
【請求項２】
前記制御部は前記紙幣を排出するとき、前記通帳記帳部の搬送路を搬送して排出するように制御することを特徴とする請求項１記載の現金自動取引装置。
【請求項３】
前記通帳記帳部は通帳用の光学センサを有し、前記制御部は前記紙幣を排出するとき、前記光学センサを利用して前記紙幣に対する紙幣認識を行なうことを特徴とする請求項１記載の現金自動取引装置。
【請求項４】
前記紙幣は封筒に封入されていることを特徴とする請求項１記載の現金自動取引装置。
【請求項５】
前記通帳記帳部は通帳印字用の印字部を有し、かつ、前記制御部は前記紙幣を排出するとき、前記封筒に所定の事項を印字するように制御することを特徴とする請求項４記載の現金自動取引装置。
【請求項６】
前記通帳記帳部は磁気読取部を有し、かつ、封入されている紙幣の紙幣情報を記録した磁気ストライプを前記封筒に貼付し、更に、前記制御部は前記紙幣を排出するとき、前記磁気ストライプから前記紙幣情報を読取るように制御することを特徴とする請求項４記載の現金自動取引装置。
【請求項７】
封筒の幅は、前記通帳記帳部が扱う前記通帳の幅と同じであることを特徴とする請求項５又は６記載の現金自動取引装置。
【請求項８】
前記紙幣を封入する前記封筒を、前記通帳と同じ大きさの台紙に貼付して収納することを特徴とする請求項５又は６記載の現金自動取引装置。
【請求項９】
前記紙幣収納部は、前記通帳収納部と兼用可能としたことを特徴とする請求項５又は６記載の現金自動取引装置。
【請求項１０】
前記紙幣は、新券紙幣であることを特徴とする請求項１乃至８いずれか一記載の現金自動取引装置。
【請求項１１】
通帳収納部に収納する通帳を搬送部によって搬送する通帳搬送工程と、
通帳の磁気ストライプから磁気読取書込部によって磁気情報を読み取り書き込む磁気読取書込工程と、
通帳に印字された取引情報を光学センサによって読取る光学読取工程と、
印字部によって通帳に取引情報を印字する通帳印字工程と、
前記通帳収納部の設置スペースに別途設置した紙幣収納部から、収納紙幣を搬送し出金する紙幣出金工程を含むことを特徴とする現金出金方法。
【請求項１２】
前記紙幣出金工程には、前記通帳搬送工程で使用する前記搬送路を利用して紙幣を搬送する紙幣搬送工程を含むことを特徴とする請求項１１記載の現金出金方法。
【請求項１３】
前記紙幣出金工程には、前記光学読取工程で使用する光学センサを利用して紙幣を読取り、かつ紙幣認識する紙幣認識工程を含むことを特徴とする請求項１１記載の現金出金方法。
【請求項１４】
前記紙幣出金工程において前記紙幣は封筒に封入された状態で収納かつ搬送され、更に、前記紙幣出金工程には、前記通帳印字工程で使用する前記印字部を利用して、前記封筒に所定の事項を印字する封筒印字工程を含むことを特徴とする請求項１１記載の現金出金方法。
【請求項１５】
前記紙幣出金工程において前記紙幣は封筒に封入された状態で収納かつ搬送され、かつ前記封筒には所定の情報が磁気記録された封筒磁気ストライプが貼付され、
更に、前記紙幣出金工程には、前記磁気読取書込工程で使用する前記磁気読取書込部を利用して、前記封筒磁気ストライプから前記所定の情報を読取る封筒磁気読取工程含むことを特徴とする請求項１１記載の現金出金方法。
【請求項１６】
前記紙幣は新券であることを特徴とする請求項１１乃至１５いずれか一記載の現金出金方法。
【発明の詳細な説明】
【技術分野】
【０００１】
本発明は、金融機関の営業店等に設置される現金自動取引装置に関するものである。
【背景技術】
【０００２】
従来、金融機関の営業店等に設置される現金自動取引装置は、顧客からの現金の入金取引と、顧客に対する現金の出金取引を行なうことができる。しかしながら、顧客はいわゆる「ピン札」と呼ばれる新券紙幣が必要な場合がある。現在のところ、このような顧客の要望に対応可能とするための新券紙幣の出金機能を有する現金自動取引装置は少なく、顧客が新券紙幣の入手を希望する場合は、金融機関の窓口で交換する方法がほとんどである。一方、特許文献としては、現金自動取引装置から新券紙幣を出金するための装置が、特開２００１−３３１８４３（特許文献１）に記載されている。特許文献１は現金自動取引装置から新券紙幣を出金するために紙幣入出金機にオプション紙葉類専用の収納部を設けるものである。
【０００３】
しかしながら、新券紙幣の出金機能のない現金自動取引装置に新券紙幣の出金機能を設定する場合、紙幣入出金機の収納庫の一つを新券紙幣用に確保する必要がある。そのため新券紙幣以外の紙幣の収納枚数に制限を受けてしまうという問題があった。また、前記特許文献１に開示される現金自動取引装置の場合も同様に、紙幣入出金機内に専用の収納部を設けなければならず、紙幣入出金機に対する大幅な設計変更が必要である。そのため、同様に新券紙幣以外の紙幣の収納枚数が減ってしまうという問題があった。
【先行技術文献】
【特許文献】
【０００４】
【特許文献１】特開２００１−３３１８４３号公報
【発明の概要】
【発明が解決しようとする課題】
【０００５】
本発明が解決しようとする課題は、現金自動取引装置の大幅な変更を行なうことなく、更に、新券紙幣以外の紙幣の収納枚数に制限を受けることなく、顧客の要望に対応して新券紙幣を出金することができる現金自動取引装置を提供することである。
【課題を解決するための手段】
【０００６】
上記課題を解決するために本発明は、現金の入出金取引を行ない、かつ通帳収納部に収納した通帳を搬送して通帳挿入排出口へ排出する通帳記帳部を有する現金自動取引装置において、前記通帳収納部の設置スペースに紙幣を収納した紙幣収納部を設置し、出金時に顧客の操作指示によって、前記紙幣収納部に収納してある紙幣を前記通帳挿入排出口から排出するよう制御する制御部を有することを特徴とする現金自動取引装置である。
【発明の効果】
【０００７】
本発明によれば、通帳記帳部の通帳収納部に新規通帳を収納しない場合、前記通帳収納部の設置スペースに新券紙幣を収納した紙幣収納部を設置すれば、出金時に顧客の操作指示によって、紙幣を前記通帳挿入排出口から排出するよう制御するので、前記通帳記帳部の各機能を共用することができ、現金自動取引装置の大幅な変更を行なうことがない。更に、新券紙幣以外の紙幣の収納枚数に制限を受けることなく、新券紙幣を出金することができる現金自動取引装置を提供することができる。併せて、顧客の操作指示に基づいて、顧客に対して新券紙幣の出金を行なうことができるので、顧客へのサービス向上に寄与することができる。更に、現金自動取引装置に新規通帳の発行機能があるにもかかわらず、当該現金自動取引装置によっては新規通帳の発行を行なわないこととしている金融機関において、当該現金自動取引装置の新規通帳発行に係わるスペースを無駄にすることなく、有効利用を図ることが可能となる。
【図面の簡単な説明】
【０００８】
【図１】第１の実施の形態に関する通帳記帳部の断面図である。
【図２】第１の実施の形態に関する現金自動取引装置の外観図である。
【図３】第１の実施の形態に関する現金自動取引装置の構成図である。
【図４】第１の実施の形態に関する通帳記帳部の機能を示すブロック図である。
【図５】現金自動取引装置の顧客操作表示画面の表示例を示す説明図である。
【図６】新券紙幣の出金指示があった場合の通帳記帳部の動作を示すフローチャートである。
【図７】第２の実施の形態に関する通帳記帳部の機能を示すブロック図である。
【図８】新券紙幣の出金指示があった場合の通帳記帳部の動作を示すフローチャートである。
【図９】第３の実施の形態に関する通帳記帳部の断面図である。
【図１０】第３の実施の形態に関する新券入り封筒と通帳の比較を示す説明図である。
【図１１】第３の実施の形態に関する新券入り封筒を含むキャリアの説明図である。
【図１２】新券紙幣の出金指示があった場合の通帳記帳部の動作を示すフローチャートである。
【発明を実施するための形態】
【０００９】
＜第１の実施の形態＞
以下本発明を実施するための形態について説明する。図２は第１の実施の形態に関する現金自動取引装置（以下ＡＴＭという）１の外観図である。ＡＴＭ１は銀行等の金融機関又はコンビニエンスストア等に設置され、入出金取引等が可能である。ＡＴＭ１は入出金取引において、顧客が操作し、かつ操作をガイドするための表示を行なうタッチパネル機能を備えたＣＲＴ又はＬＣＤ等からなる顧客操作表示画面２を有する。更に、ＡＴＭ１は入出金取引等において、顧客の所有するキャッシュカードの挿入を受付けるカード挿入口３を有する。
【００１０】
また、ＡＴＭ１は、入出金取引等の結果を記録する通帳Ｐを受付ける通帳挿入排出口４を有する。通帳挿入排出口４から挿入された通帳に対し、後述する通帳記帳部１４において入出金取引等の結果を印字した後、通帳挿入排出口４から排出する。また、後述する新規通帳Ｐを格納する場合には、新規通帳Ｐに所定の処理をした後に、当該通帳挿入排出口４から排出する。更に、後述するように新券紙幣Ｂを格納する場合には、顧客の指定に基づき当該通帳挿入排出口４から新券紙幣Ｂを排出する。
【００１１】
更に、顧客に対して紙幣を投入又は返却するための接客口としての紙幣投入返却口５を有する。入金取引においては、顧客が当該紙幣投入返却口５に紙幣をセットすると、これをＡＴＭ１が自動計数し、装置内部に取込む。出金取引においては、ＡＴＭ１が図示しない紙幣格納部から紙幣を繰出し、当該紙幣投入返却口５に集積することにより、顧客が取出し可能とする。また、ＡＴＭ１は同じく、硬貨を投入又は返却するための接客口としての硬貨投入返却口６を有する。入金取引において、顧客が当該硬貨投入返却口６に硬貨をセットすると、これをＡＴＭ１が自動計数し、装置内部に取込む。出金取引においては、ＡＴＭ１が図示しない硬貨格納部から硬貨を繰出し、当該硬貨投入返却口６に集積することにより、顧客が取出し可能とする。
【００１２】
図３は第１の実施の形態に関するＡＴＭ１の構成図である。ＡＴＭ１は、金融機関事務センタ等に設置されるホストコンピュータ１０と通信回線１１を介して接続される。ＡＴＭ１の通信部７は、通信回線１１を介して接続されるホストコンピュータ１０との間の通信を制御する。
【００１３】
顧客操作表示部１２は前記顧客操作表示画面２を制御する。顧客操作表示部１２は情報入力用のキーとして機能するタッチパネルを顧客操作表示画面２に表示し、後述する取引選択画面、出金金額入力画面及び新券出金案内画面等を表示する。更に、顧客操作表示部１２は、顧客によって指定された取引選択情報、出金金額情報、新券希望情報等を制御部８に出力する。
【００１４】
カード読取印字部１３は、顧客が前記カード挿入口３から挿入したキャッシュカードの磁気ストライプ又はＩＣチップ等から顧客の氏名又は口座番号等の情報を読取る。更にカード読取印字部１３は、前記キャッシュカードに関する更新情報の書込みを行なうと共に、取引内容を明細票（レシート）に印字する。
【００１５】
通帳記帳部１４は、顧客が前記通帳挿入排出口４から挿入した通帳Ｐを取込んで、当該通帳の磁気ストライプに記載されている顧客の氏名又は口座番号等の情報を読取る。また、通帳記帳部１４は、現在の取引情報及び過去の未記帳分の取引情報を通帳に印字する。更に、通帳記帳部１４は、新規通帳Ｐを発行するように制御されているか、又は新規通帳Ｐを発行しないように制御されている。新規通帳Ｐを発行する場合は通常の制御と同様である。一方、新規通帳Ｐを発行しない場合は、新券紙幣Ｂを出金可能に制御される。新券紙幣Ｂを出金する場合、後述する紙幣収納カセット３１、３２、３３を利用して、当該紙幣収納カセット３１、３２、３３に新券紙幣Ｂを金種毎にそれぞれ収納しておき、所定の処理を行なった後、後述する搬送部２８等を利用して新券紙幣Ｂを排出するように制御するものである。
【００１６】
紙幣入出金部１５は、顧客により前記紙幣投入返却口５から投入される紙幣を真偽鑑別し、計数し、搬送して図示しない紙幣収納部に収納する。更に、顧客に支払われる出金紙幣を前記紙幣収納部より繰出し紙幣投入返却口５に集積する。硬貨入出金部１６は顧客により前記硬貨投入返却口６から投入される硬貨を真偽鑑別し、計数し、搬送して図示しない硬貨収納部に収納し、又は顧客に支払われる硬貨を前記硬貨収納部より繰出し硬貨投入返却口６に集積する。
【００１７】
制御部８はＡＴＭ１の前記各部を制御する。当該制御部８は、半導体メモリ又は磁気ディスク等で構成された記憶部９と接続される。制御部８は記憶部９に記憶された制御プログラムにより動作する。また、制御部８は各処理に必要なデータを記憶部９に書き込むことができ、必要に応じて記憶部９から読み出すことができる。
【００１８】
図１は第１の実施の形態に関する通帳記帳部１４の断面図である。通帳記帳部１４の前面部には、通帳Ｐを挿入排出すると共に新券紙幣Ｂを排出する通帳挿入排出口４を有する。通帳挿入排出口４には、この通帳挿入排出口４を開閉する図示しないシャッタと、通帳Ｐ又は新券紙幣Ｂの通過を検知する図示しないセンサが備えられている。前記センサが通帳Ｐ又は新券紙幣Ｂの通過を検知するとシャッタが開かれる。
【００１９】
また、通帳記帳部１４の内部には、複数の搬送ローラ対２８−１と複数の搬送路２８−２からなる搬送部２８を有する。搬送ローラ対２８−１は図示しないステッピングモータによって駆動され、通帳挿入排出口４より挿入された開帳状態の通帳Ｐを搬送路２８−２を介して後方へ搬送する。更に図示しない通帳収納カセットに収納された新規通帳Ｐ又は紙幣収納カセット３１、３２、３３に収納された新券紙幣Ｂを同じく搬送路２８−２を介して通帳挿入排出口４へ搬送する。
【００２０】
そして、通帳記帳部１４の内部に挿入された開帳状態の通帳Ｐには、表紙又は裏表紙に図示しない磁気ストライプが貼着されており、搬送部２８の前方に設けられた磁気読取書込部２２が通帳Ｐの磁気ストライプを走査して、口座番号等の適否を読み取り照合する。この照合の結果、「適」と判断された通帳Ｐは搬送部２８の更に後方へ搬送され、「不適」又は「読み取り不良」と判断された場合には前方へ搬送されて、通帳挿入排出口４から返却される。
【００２１】
更に、搬送部２８の磁気読取書込部２２の後方には改頁機構部２３が設けられる。改頁機構部２３は開帳状態で搬送されてきた通帳Ｐの頁を必要に応じて捲るようになっている。更に、改頁機構部２３に隣接して光学読取部２４が設けられる。光学読取部２４は通帳Ｐの開かれた頁の頁マーク又は印字済行等を読み取り、正しい頁が開かれているか、及び何行まで印字されているかを検査する。
【００２２】
更に、光学読取部２４の後方には印字部２５が設けられている。光学読取部２４による検査結果から、正しい頁が開かれていると判断された場合に、印字部２５は印字済最終行の次の行から通帳未記帳分の取引情報の印字を行なう。光学読取部２４による検査結果から、正しい頁が開かれていないと判断された場合には、搬送ローラ対２８−１の回転により、通帳Ｐは改頁機構部２３まで搬送され、改頁機構部２３により再び頁捲り動作が行われる。
【００２３】
搬送路２８−２の後方には、新規通帳Ｐが集積収納された図示しない通帳収納カセット又は新券紙幣Ｂが集積収納された紙幣収納カセット３１、３２、３３が複数設けられている。新規通帳を発行しないＡＴＭ１の場合、図示しない通帳収納カセットの設置スペースに紙幣収納カセット３１、３２、３３が設けられる。即ち、通帳収納カセットと紙幣収納カセット３１、３２、３３は設置スペースを共用している。各紙幣収納カセット３１、３２、３３は保守員によって着脱可能である。保守員はＡＴＭ１の装置外で各紙幣収納カセット３１、３２、３３に異なる種類の新券紙幣Ｂを装填する。
【００２４】
各紙幣収納カセット３１、３２、３３に垂直に集積収納された新券紙幣Ｂは、下端から一枚ずつ繰出し可能であり、紙幣収納カセット３１、３２、３３の下端には、繰出し手段としての媒体繰出し部２７ａ、２７ｂ、２７ｃが設けられている。なお、各紙幣収納カセット３１、３２、３３には、新券紙幣Ｂの有無を検知する図示しない媒体検知手段が配設されている。更に搬送路２８−２の下方には、ＡＴＭ１における取引記録が印字されて巻取られる控えジャーナル３５及び取忘れ通帳Ｐ又は取忘れ新券紙幣Ｂを集積収納する媒体取込部２９がそれぞれ配設されている。
【００２５】
図４は第１の実施の形態に関する通帳記帳部１４の機能を示すブロック図である。通帳記帳部１４の挿入排出部２１は、通帳挿入排出口４の図示しないセンサが通帳Ｐの挿入又は排出を検出すると、図示しないシャッタを開け、更に新券紙幣Ｂの排出を検出すると同様にシャッタを開ける。センサの検出結果は通帳記帳部制御部２０に出力され、シャッタの開閉動作は通帳記帳部制御部２０の制御によって行なわれる。
【００２６】
磁気読取書込部２２は、搬送路２８−２を搬送される通帳Ｐに対して磁気ストライプを走査して磁気情報の読取書込を行なうが、本実施の形態においては、新券紙幣Ｂに対して何もしない。更に、改頁機構部２３は開帳状態で搬送されてきた通帳Ｐの頁を必要に応じて捲るように動作するが、新券紙幣Ｂに対しては何もしない。更に、光学読取部２４は通帳Ｐの開かれた頁の頁マーク又は印字済行等を読み取り、正しい頁が開かれているか、及び何行まで印字されているかを検査するが、本実施の形態においては、新券紙幣Ｂに対して何もしない。更に、印字部２５は印字済最終行の次の行から通帳未記帳分の取引情報の印字を行なうが、本実施の形態においては、新券紙幣Ｂに対して何もしない。
【００２７】
カセット判別部２６は、新券紙幣Ｂが収納された複数の紙幣収納カセット３１、３２、３３が正しい位置に装着されたか否か、どの収納カセットが装着されているか判別する。判別結果は、通帳記帳部制御部２０へ出力される。媒体繰出部２７は各紙幣収納カセット３１、３２、３３に収納された新券紙幣Ｂを下端から一枚ずつ繰出し、搬送部２８へ送り出す。媒体繰出部２７は紙幣の厚さを検知しており、紙幣の重送を検知することができる。紙幣の重送検知の結果、重送していればリトライを行なう。また、搬送部２８は、前述のように複数の搬送ローラ対２８−１と複数の搬送路２８−２からなり、搬送ローラ対２８−１を回転することにより、通帳Ｐ又は新券紙幣Ｂを搬送路２８−２に搬送する。なお、媒体取込部２９は、顧客が取り忘れた通帳Ｐ又は新券紙幣Ｂを集積収納する。通帳記帳部制御部２０は前記各部を制御する。また、紙幣収納カセット３１、３２、３３に収納された新券紙幣Ｂは新券紙幣のみであるため、出金に際し、基本的には紙幣認識は不要とすることができる。
【００２８】
次に、第１の実施の形態に関するＡＴＭ１の動作について説明する。まず、ＡＴＭ１の前に立った顧客は、顧客操作表示画面２に表示される取引選択画面から希望する取引を選択する。図５はＡＴＭ１の顧客操作表示画面２の表示例を示す説明図である。
【００２９】
前記制御部８は、前記顧客操作表示部１２を制御して、同図（ａ）に示す取引選択画面に、入金キー４１−１、出金キー４１−２、残高照会キー４１−３、振込みキー４１−４、通帳記帳キー４１−５を表示する。ここで顧客が出金キー４１−２を押下すると、制御部８はこれを検知し、図示しない本人確認画面を表示する。本人確認が一致すると、制御部８は、同じく顧客操作表示部１２を制御して、同図（ｂ）に示す出金金額入力画面を表示する。
【００３０】
顧客は金額表示欄４２−２を確認しながらテンキー４２−１を操作して、出金金額を入力する。そして、顧客は、新券紙幣Ｂを希望する場合は、新券希望キー４２−３を押下する。なお、前記新券希望キー４２−３は常に表示するものではなく、本発明に基づき新券紙幣Ｂを出金可能とした場合のみ表示するものである。制御部８は顧客操作表示部１２から新券の出金指示を受信すると、通帳記帳部１４に対し、新券紙幣Ｂの出金指示を出力する。
【００３１】
図６は新券紙幣Ｂの出金指示があった場合の通帳記帳部１４の動作を示すフローチャートである。通帳記帳部１４の通帳記帳部制御部２０は、制御部８から新券紙幣Ｂの出金指示を受信すると、媒体繰出部２７を制御し、紙幣収納カセット３１、３２、３３のうちの一つのから新券紙幣Ｂを１枚繰出す（Ｓ１０１）。媒体繰出部２７が重送を検知した場合（Ｓ１０２）、紙幣Ｐを紙幣収納カセット３１、３２、３３に戻し、リトライを行なう（Ｓ１０３）。通帳記帳部制御部２０はこのリトライ回数が上限を超えたか否かチェックし（Ｓ１０４）、上限を超えた場合は制御部８にエラーを通知する（Ｓ１１１）。重送されていなければ、通帳記帳部制御部２０は、搬送部２８を制御して新券紙幣Ｂを通帳挿入排出口４へ搬送し、通帳挿入排出口４より排出する（Ｓ１０５）。
【００３２】
通帳記帳部制御部２０は、制御部８に対し通帳挿入排出口４に新券紙幣Ｂを排出することを出力する。すると制御部８は、前記顧客操作表示部１２に対し、図５（Ｃ）に示す新券出金案内画面を表示するように指示する。当該新券出金案内画面は、ＡＴＭ１の通帳挿入排出口４から新券紙幣Ｂが排出される絵４３を表しているので、顧客は混乱することがない。
【００３３】
このとき挿入排出部２１の図示しないセンサは顧客が新券紙幣Ｂを抜き取ったか否か監視する（Ｓ１０６）。通帳記帳部制御部２０は、紙幣の受取りが所定の時間以内行なわれたか否かチェックする（Ｓ１０７）。上限時間を超えても受取らない場合は、通帳記帳部制御部２０は、搬送部２８と媒体取込部２９を制御し、新券紙幣Ｂを媒体取込部２９へ搬送する（Ｓ１１０）。そして、ステップ１０６において、通帳記帳部制御部２０は、新券紙幣Ｂが受取られた場合、図示しないカウンタの出金金額枚数に「１」を加算し(Ｓ１０８)、出金枚数が顧客指定の枚数か否かチェックする（Ｓ１０９）。このようにして、出金枚数が指定枚数に達するまで繰り返す。
【００３４】
以上、第１の実施の形態によれば、通帳記帳部に紙幣収納カセット３１、３２、３３を設置し、紙幣収納カセット３１、３２、３３に新券紙幣Ｂを収納し、媒体の搬送部２８を共用することができるので、媒体の繰出、搬送等の制御を媒体である新券紙幣Ｂに合わせて変更することにより、大幅な変更を行なうことがない。更に、新規通帳Ｐを発行しないＡＴＭ１の場合、空いている通帳収納カセットの設置スペースを新券紙幣Ｂの紙幣収納カセットの設置スペースに利用することができる。その結果、既存のＡＴＭ１に対し、新券紙幣以外の紙幣の収納枚数に制限を受けることなく、また、機構的にも大きな変更を加えることなく、新券紙幣Ｂの出金機能を付加することができる。
【００３５】
＜第２の実施の形態＞
次に、第２の実施の形態に関するＡＴＭ１について説明する。第２の実施の形態に関するＡＴＭ１の構成については第1の実施の形態と同じであるので説明を省略する。図７は第２の実施の形態に関する通帳記帳部４４の機能を示すブロック図である。通帳記帳部４４の挿入排出部２１は、図示しないセンサが通帳Ｐの挿入又は排出を検出すると、図示しないシャッタを開け、更に新券紙幣Ｂの排出を検出すると同様にシャッタを開ける。センサの検出結果は通帳記帳部制御部５０に出力され、シャッタの開閉動作は通帳記帳部制御部５０の制御によって行なわれる。
【００３６】
磁気読取書込部２２は搬送路２８−２を搬送される通帳Ｐに対しては、磁気ストライプを走査して磁気情報の読取書込を行なうが、新券紙幣Ｂに対しては何もしない。更に、改頁機構部２３は開帳状態で搬送されてきた通帳Ｐの頁を必要に応じて捲るように動作するが、新券紙幣Ｂに対しては何もしない。
【００３７】
第２の実施の形態に関する光学読取部５１はＣＣＤセンサからなり、通帳Ｐの開かれた頁の頁マーク又は印字済行等を読み取り、正しい頁が開かれているか、及び何行まで印字されているかを検査する。更に、本実施の形態において、光学読取部５１は、新券紙幣Ｂに対して簡易な紙幣認識を行なう。光学読取部５１は、紙幣収納カセット３１、３２、３３より搬送されてきた新券紙幣Ｂに対して、紙幣の画像を読取り、読取データを通帳記帳部制御部５０へ出力する。通帳記帳部制御部５０は更に前記制御部８へ読取りデータを送り、制御部８は正常な紙幣か否か判断する。制御部８が正常な紙幣であると判断しなかった場合は、制御部８は通帳記帳部制御部５０を制御し、当該紙幣を通帳挿入排出口４には搬送せずに、通帳取込部２９に取込む。
【００３８】
印字部２５は印字済最終行の次の行から通帳未記帳分の取引情報の印字を行なうが、本実施の形態においては、新券紙幣Ｂに対して何もしない。カセット判別部２６は、新券紙幣Ｂが収納された複数の紙幣収納カセット３１、３２、３３が正しい位置に装着されたか否か判別する。判別結果は、通帳記帳部制御部５０へ出力される。媒体繰出部２７は各紙幣収納カセット３１、３２、３３に収納された新券紙幣Ｂを下端から一枚ずつ繰出し、搬送部２８へ送り出す。媒体繰出部２７は紙幣の重送を検知しており、重送していればリトライを行なう。また、搬送部２８は、前述のように複数の搬送ローラ対２８−１と複数の搬送路２８−２からなり、搬送ローラ対２８−１を回転することにより、通帳Ｐと新券紙幣Ｂを搬送路２８−２に搬送する。なお、媒体取込部２９は、顧客が取り忘れた通帳Ｐ又は新券紙幣Ｂを集積収納する。通帳記帳部制御部５０は前記各部を制御する。
【００３９】
次に、第２の実施の形態に関するＡＴＭ１の動作について説明する。第２の実施の形態に関するＡＴＭ１の動作の取引選択画面の表示から、新券紙幣Ｂの出金指示までは、第１の実施の形態と同じであるので説明を省略する。
【００４０】
図８は新券紙幣Ｂの出金指示があった場合の通帳記帳部４４の動作を示すフローチャートである。通帳記帳部４４の通帳記帳部制御部５０は、前記制御部８から新券紙幣Ｂの出金指示を受信すると、媒体繰出部２７を制御し、紙幣収納カセット３１、３２、３３から新券紙幣Ｂを１枚繰出す（Ｓ２０１）。媒体繰出部２７が重送を検知した場合（Ｓ２０２）、紙幣Ｐを紙幣収納カセット３１、３２、３３に戻し、リトライを行なう（Ｓ２０３）。通帳記帳部制御部５０はこのリトライ回数が上限を超えたか否かチェックし（Ｓ２０４）、上限を超えた場合は制御部８にエラーを通知する（Ｓ２１４）。重送されていなければ、通帳記帳部制御部５０は、搬送部２８を制御して新券紙幣Ｂを通帳挿入排出口４へ搬送する（Ｓ２０５）。
【００４１】
このとき、通帳記帳部制御部５０は、光学読取部５１を制御し、簡易紙幣認識のために新券紙幣Ｂの画像を読取る(Ｓ２０６)。通帳記帳部制御部５０は、読取りデータを前記制御部８へ送り、前記制御部８の認識結果が不一致であれば（Ｓ２０７）、新券紙幣Ｂを通帳取込部２９へ搬送する（Ｓ２１２）。
【００４２】
ステップ２０７において、認識結果が一致であれば、通帳記帳部制御部５０はそのまま搬送を継続する。そして、通帳記帳部制御部５０は、制御部８に対し通帳挿入排出口４に新券紙幣Ｂを排出することを出力する。すると制御部８は、前記顧客操作表示部１２に対し、図５（Ｃ）に示す新券出金案内画面を表示するように指示する。当該新券出金案内画面は、ＡＴＭ１の通帳挿入排出口４から新券紙幣Ｂが排出される絵４３を表しているので、顧客は混乱することがない。
【００４３】
このとき挿入排出部２１の図示しないセンサは顧客が新券紙幣Ｂを抜き取ったか否か監視する（Ｓ２０８）。通帳記帳部制御部５０は、紙幣の受取りが所定の時間以内行なわれたか否かチェックする（Ｓ２０９）。上限時間を超えても受取らない場合は、通帳記帳部制御部５０は、搬送部２８と媒体取込部２９を制御し、新券紙幣Ｂを媒体取込部２９へ搬送する（Ｓ２１３）。そして、ステップ２０８において、通帳記帳部制御部５０は、新券紙幣Ｂが受取られた場合、図示しないカウンタの出金金額枚数に「１」を加算し(Ｓ２１０)、出金枚数が顧客指定の枚数か否かチェックする（Ｓ２１１）。このようにして、出金枚数が指定枚数に達するまで繰り返す。
【００４４】
以上のように、第２の実施の形態によれば、光学読取部５１の出力によって、出金紙幣の簡易な認識を行なうこととしたので、保守者による収納カセットへの装填誤りがあった場合でも、これを検出することができる。更に、当該光学読取部５１は通帳記帳部４４の光学読取部５１を共用することができるので、機構的にも大きな変更を加えることなく、新券紙幣Ｂの出金機能を付加することができる。
【００４５】
＜第３の実施の形態＞
次に、第３の実施の形態に関するＡＴＭ１について説明する。第３の実施の形態に関するＡＴＭ１の構成については第1の実施の形態と同じであるので説明は省略する。また、第３の実施の形態に関する通帳記帳部５４の機能を示すブロック図は、第１の実施の形態に関する通帳記帳部１４の機能を示すブロック図とほぼ同じであるので、前述の図４の説明を援用する。前記第１の実施の形態においては新券紙幣Ｂを通帳記帳部１４から１枚毎に排出するのに対し、第３の実施の形態では、新券紙幣Ｂを複数枚まとめて封筒に封入し、当該新券入り封筒Ｅを排出するものである。
【００４６】
図９は第３の実施の形態に関する通帳記帳部５４の断面図である。図１と同一の構成要素については同一の符号にて示し、説明を省略する。ここで磁気読取書込部５２は、通帳Ｐの磁気ストライプを走査して、口座番号等の適否を読取り照合するのに加えて、後述するように、新券紙幣Ｂを封入する新券入り封筒Ｅに貼付された磁気ストライプを走査して、新券入り封筒Ｅの磁気情報を読取る。更に、印字部５５は、前記光学読取部２４による通帳Ｐに対する検査結果から正しい頁が開かれていると判断された場合に、印字済最終行の次の行から通帳未記帳分の取引情報の印字を行なう。更に、印字部５５は新券紙幣Ｂが挿入された新券入り封筒Ｅに対し、後述する所定の事項の印字を行なう。
【００４７】
搬送路２８−２の後方には、新規通帳Ｐが集積収納された図示しない通帳収納カセット又は新券入り封筒Ｅが集積収納された紙幣収納カセット５６、５７、５８、５９が設けられている。新規通帳を発行しないＡＴＭ１の場合、図示しない通帳収納カセットの設置スペースに紙幣収納カセット５６〜５９が設けられる。即ち、通帳収納カセットと紙幣収納カセット５６〜５９は設置スペースを共用している。各紙幣収納カセット５６〜５９は保守員によって着脱可能である。
【００４８】
保守員はＡＴＭ１の装置外で各紙幣収納カセット５６〜５９に異なる種類の新券入り封筒Ｅを装填する。新券入り封筒Ｅは、例えば紙幣収納カセット５６には千円紙幣が５枚封入された新券入り封筒Ｅを、収納カセット５７には千円紙幣が１０枚封入された新券入り封筒Ｅを、収納カセット５８には万円紙幣が５枚封入された新券入り封筒Ｅを、収納カセット５９には万円紙幣が１０枚封入された新券入り封筒Ｅをあらかじめ金額別に装填する。各紙幣収納カセット５６〜５９に垂直に複数個集積収納された新券入り封筒Ｅは、下端から一枚ずつ繰出し可能であり、紙幣収納カセット５６〜５９の下端には、繰出し手段としての媒体繰出し部２７ａ、２７ｂ、２７ｃ、２７ｄが設けられている。
【００４９】
図１０は新券入り封筒Ｅと通帳Ｐの比較を示す説明図である。同図（ａ）に示すように、新券入り封筒Ｅには新券紙幣Ｂが複数枚封入されている。新券入り封筒Ｅの表側には、封入されている新券紙幣Ｂの金種・枚数表示６４が印刷され、裏側には磁気ストライプ６３Ｅが貼付され、金種・枚数表示６４と同じ情報が磁気記録されている。磁気ストライプ６３Ｅは、同図（ｂ）に示す通帳Ｐの磁気ストライプ６３Ｐに対応する位置に貼付されている。これにより、出金時に前記磁気読取書込部５２によって磁気情報を読取り可能となるので、制御部８による出金管理を行なうことができると共に、前記磁気読取書込部５２を共用することができる。
【００５０】
新券入り封筒Ｅは、前記通帳挿入排出口４に排出される状態では、新券入り封筒Ｅの表側に出金年月日６１と顧客の口座番号６２が印字されている。当該出金年月日６１と顧客の口座番号６２は、出金の際に前記印字部５５によって印字される。このように出金年月日６１と顧客の口座番号６２を印字することにより、顧客が取り忘れた結果通帳取込部２９に取り込んだ場合、後で行なう確認を容易にすることができる。出金年月日６１と顧客の口座番号６２を印字は、前記印字部５５が行なうので、印字部５５を共用することができる。
【００５１】
また、新券入り封筒Ｅの幅Ｌは、通帳の幅Ｌと同じであることが望ましい。搬送ローラ対２８−１により同図（ｂ）に示す通帳Ｐを閉じた状態で搬送する場合は、前記搬送部２８の搬送ローラ対２８−１を新券入り封筒Ｅに適合させるために別途設ける必要がなく、通帳Ｐ用の搬送ローラ対２８−１と共用することができるからである。
【００５２】
図１１は新券入り封筒Ｅを含むキャリアＣの説明図である。通帳Ｐを開いた状態と同じ大きさ（幅と長さ）の台紙Ｄに、新券紙幣Ｐを封入した新券入り封筒Ｅを貼付してキャリアＣとしたものである。前記キャリアＣは、通帳Ｐの開いた状態と大きさが同じであるので、通帳記帳部５４の図示しない通帳収納カセットが通帳Ｐを開いた状態で収納する場合、紙幣収納カセット５６〜５９を共用することができる。更に、出金年月日６１と顧客の口座番号６２を印字する場合にも、前記印字部５５を共用することができる。更に、磁気ストライプ６３Ｄを図示しない開帳状態の通帳Ｐの磁気ストライプ６３Ｐに対応する位置に貼付することにより、出金時に前記磁気読取書込部５２によって金種・枚数に関する磁気情報を読取り可能となるので、制御部８による出金管理を行なうことができると共に、記磁気読取書込部５２を共用することができる。
【００５３】
図１２は新券紙幣Ｂの出金指示があった場合の通帳記帳部５４の動作を示すフローチャートである。通帳記帳部５４の通帳記帳部制御部２０は、前記制御部８から新券紙幣Ｂの出金指示を受信すると、媒体繰出部２７を制御し、紙幣収納カセット５６〜５９のうちの該当する金額が入った新券入り封筒Ｅのカセットから新券入り封筒Ｅを１枚繰出す（Ｓ３０１）。
【００５４】
媒体繰出部２７が重送を検知した場合（Ｓ３０２）、新券入り封筒Ｅをカセットに戻し、リトライを行なう（Ｓ３０３）。通帳記帳部制御部２０はこのリトライ回数が上限を超えたか否かチェックし（Ｓ３０４）、上限を超えた場合は制御部８にエラーを通知する（Ｓ３１２）。重送されていなければ、通帳記帳部制御部２０は、搬送部２８を制御して新券入り封筒Ｅを通帳挿入排出口４へ搬送する（Ｓ３０５）。
【００５５】
このとき、通帳記帳部制御部２０は、印字情報を前記制御部８から受信することにより、前記印字部２５を制御し、新券入り封筒Ｅの表面に出金年月日６１と顧客の口座番号６２を印字する。更に、磁気読取書込部２２を制御し、磁気ストライプ６３Ｅを読取ることにより、金種・枚数に関する磁気情報を制御部８へ出力する（Ｓ３０６）。
【００５６】
そして、通帳記帳部制御部２０は、制御部８に対し通帳挿入排出口４に新券入り封筒Ｅを排出することを出力する。すると制御部８は、前記顧客操作表示部１２に対し、図５（Ｃ）に示す新券出金案内画面を表示するように指示する。このとき通帳挿入排出口４の図示しないセンサは顧客が新券入り封筒Ｅを抜き取ったか否か監視する（Ｓ３０７）。通帳記帳部制御部２０は、新券入り封筒Ｅの受取りが所定の時間以内行なわれたか否かチェックする（Ｓ３０８）。上限時間を超えても受取らない場合は、通帳記帳部制御部２０は、搬送部２８と媒体取込部２９を制御し、新券入り封筒Ｅを媒体取込部２９へ搬送する（Ｓ３１１）。
【００５７】
そして、ステップ３０７において、通帳記帳部制御部２０は、新券入り封筒Ｅが受取られた場合、図示しないカウンタの出金封筒枚数に「１」を加算し(Ｓ３０９)、出金封筒枚数が顧客指定の枚数か否かチェックする（Ｓ３１０）。このようにして、出金封筒枚数が指定枚数に達するまで繰り返す。
【００５８】
以上のように、第３の実施の形態によれば、顧客が指定した金額を前記新券入り封筒Ｅにまとめて封入してあるので、短時間で出金することができ、収納時の取り扱いも簡単にすることができる。更に新券紙幣が汚れにくいので、汚れに対して敏感な顧客に対しても、満足のいく紙幣品質を維持することができる。また、新券入り封筒Ｅの大きさを、通帳記帳部５４の扱う通帳の大きさと同じにすれば、収納カセット及び搬送路を共用することができるという効果を有する。更に、新券入り封筒Ｅに出金年月日６１と顧客の口座番号６２を印字するように制御すれば、顧客が取り忘れた結果通帳取込部２９に取り込んだ場合、後で確認を容易にすることができる。その際、通帳Ｐへの取引情報の印字のための印字部５５を共用することができる。更に、新券入り封筒Ｅの表面に磁気ストライプ６３を貼付し、封入した新券紙幣Ｂの金種・枚数表示６４の情報と同じ情報を磁気記録すれば、出金管理を行なうことができると共に、磁気読取書込部２２を共用することができる。
【００５９】
更に、前記第１の実施の形態の説明において、光学読取部２４は新券紙幣Ｂに対して何もしないことを説明したが、第３の実施の形態における光学読取部２４は、新券入り封筒Ｅの金種・枚数表示６４を読取ることにしてもよい。読取った金種・枚数表示６４の情報を通帳記帳部制御部２０の制御によって記録するようにすれば、出金管理を行なうことができると共に、光学読取部２４を共用することができる。
【００６０】
前記第１乃至第３の実施の形態において、新規通帳を収納する通帳収納カセットが複数ある場合、当該通帳収納カセットの設置スペース全てに紙幣収納カセット３１、３２、３３を設置するのではなく、設置スペースの一部に紙幣収納カセット（例えば収納カセット３３のみ）を設置する場合であってもよい。
【符号の説明】
【００６１】
１                  ＡＴＭ
４                  通帳挿入排出口
１４、４４、５４    通帳記帳部
２０、５０          通帳記帳部制御部
２１                挿入排出部
２２                磁気読取書込部
２３                改頁機構部
２４                頁マーク読取書込部
２５、５５          印字部
２６                カセット判別部
２８                搬送部
２９                通帳取込部
３１、３２、３３    紙幣収納カセット
５６〜５９          紙幣収納カセット
Ｐ                  通帳
Ｂ                  新券紙幣
Ｅ                  新券入り封筒
Ｄ                  台紙
Ｃ                  キャリア
【図１】
2010182213.tif 000003
【図２】
2010182213.tif 000004
【図３】
2010182213.tif 000005
【図４】
2010182213.tif 000006
【図５】
2010182213.tif 000007
【図６】
2010182213.tif 000008
【図７】
2010182213.tif 000009
【図８】
2010182213.tif 000010
【図９】
2010182213.tif 000011
【図１０】
2010182213.tif 000012
【図１１】
2010182213.tif 000013
【図１２】
2010182213.tif 000014